(57)【要約】【課題】乗用型田植機の水田車輪のリム部に複数個の水田用車輪用補助具をラグ部のラグ板間に間隔をおいて取付機構により取付け、水田車輪のリム部の左右両側に底面が略球面形状に形成された一対の補助体を取付けることになり、この状態で、水田用作業機を転回時等において後退させるとラグ部のラグ板部が水田の水面下の耕盤に対してすくい角を有する状態で突入しようとするが一対の補助体が耕盤の底面に当接し、ラグ板部が耕盤の底面下方に突入することに抵抗し、ラグ板部が耕盤に深く食い込んで耕盤に損傷を与えることを防ぐことができると共に走行車体の持ち上がりを防ぐことができ、操向操作性を高めることができる。【解決手段】ラグ部２をもつ水田車輪Ｓのリム部Ｓ1の左右両側に配置される一対の補助体４及び補助体を水田車輪のリム部に取付可能な取付機構５からなる。【選択図】図１
2005306319.tif 000002
【特許請求の範囲】
【請求項１】
ラグ部をもつ水田車輪のリム部の左右両側に配置される一対の補助体及び該補助体を水田車輪のリム部に取付可能な取付機構からなることを特徴とする水田車輪用補助具。
【請求項２】
上記補助体の底面が略球面形状に形成されていることを特徴とする請求項１記載の水田車輪用補助具。
【請求項３】
上記補助体の内部は空洞であることを特徴とする請求項１又は２記載の水田車輪用補助具。
【請求項４】
上記取付機構として、上記水田車輪のリム部の底面を包囲可能なＵ状ボルト体の両折返部に上記各補助体をそれぞれ固着し、該Ｕ状ボルト体の両端ねじ部間に座板を挿通配置し、該Ｕ状ボルト体の両端ねじ部に締付ナットを螺着してなることを特徴とする請求項１〜３のいずれか１項に記載の水田車輪用補助具。
【請求項５】
上記座板に上記水田車輪のリム部の上面に圧接可能な略Ｖ状の圧接面をもつ圧接部を設けてなることを特徴とする請求項４記載の水田車輪用補助具。
【請求項６】
上記請求項１〜５のいずれか１項に記載の水田車輪用補助具を水田車輪のリム部に環状に間隔を置いて複数個取り付けてなることを特徴とする水田用作業機。
【請求項７】
上記請求項１〜５のいずれか１項に記載の水田車輪用補助具を水田車輪のリム部に環状に間隔を置いて複数個取り付けてなることを特徴とする乗用型田植機。
【発明の詳細な説明】
【技術分野】
【０００１】
本発明は例えば乗用型田植機、水田施肥機などの水田用作業機に用いられる水田車輪用補助具及び水田用作業機並びに乗用型田植機に関するものである。
【背景技術】
【０００２】
従来、この種の乗用型田植機として、走行車体に操向用の左右一対の前輪及び左右一対の後輪からなる水田車輪を設け、走行車体に苗移植機構を設けてなる構造のものが知られている。
【０００３】
そして、この水田車輪としての後輪は円環状のリム部に間隔を置いて傾斜状のラグ板部及びラグ凸部からなるラグ部が設けられている。
【特許文献１】特許３５２０５３０号
【発明の開示】
【発明が解決しようとする課題】
【０００４】
しかしながら上記従来構造の場合、走行車体の転回時等において後退させるとラグ部のラグ板部が水田の耕盤に対してすくい角を有する状態で突入することになって耕盤に深く食い込んで耕盤に損傷を与えやすく、又、この食い込み作用によって必要以上の後進力が生じ、走行車体の持ち上がりが生じ、操向操作が困難となることがあるという不都合を有している。
【課題を解決するための手段】
【０００５】
本発明はこれらの不都合を解決することを目的とするもので、本発明のうちで、請求項１記載の発明は、ラグ部をもつ水田車輪のリム部の左右両側に配置される一対の補助体及び該補助体を水田車輪のリム部に取付可能な取付機構からなることを特徴とする水田車輪用補助具にある。
【０００６】
又、請求項２記載の発明は、上記補助体の底面が略球面形状に形成されていることを特徴とするものであり、又、請求項３記載の発明は、水田車輪用補助具上記補助体の内部は空洞であることを特徴とするものである。
【０００７】
又、請求項４記載の発明は、上記取付機構として、上記水田車輪のリム部の底面を包囲可能なＵ状ボルト体の両折返部に上記各補助体をそれぞれ固着し、該Ｕ状ボルト体の両端ねじ部間に座板を挿通配置し、該Ｕ状ボルト体の両端ねじ部に締付ナットを螺着してなることを特徴とするものであり、又、請求項５記載の発明は、上記座板に上記水田車輪のリム部の上面に圧接可能な略Ｖ状の圧接面をもつ圧接部を設けてなることを特徴とするものである。
【０００８】
又、請求項６記載の発明は、上記水田車輪用補助具を水田車輪のリム部に環状に間隔を置いて複数個取り付けてなることを特徴とする水田用作業機にあり、又、請求項７記載の発明は、上記水田車輪用補助具を水田車輪のリム部に環状に間隔を置いて複数個取り付けてなることを特徴とする乗用型田植機にある。
【発明の効果】
【０００９】
本発明は上述の如く、請求項１、６又は７記載の発明にあっては、水田用作業機、この場合、乗用型田植機の水田車輪のリム部に複数個の水田用車輪用補助具をラグ部のラグ板間に間隔をおいて取付機構により取付け、水田車輪のリム部の左右両側に底面が略球面形状に形成された一対の補助体を取付けることになり、この状態で、水田用作業機を転回時等において後退させるとラグ部のラグ板部が水田の水面下の耕盤に対してすくい角を有する状態で突入しようとするが一対の補助体が耕盤の底面に当接し、ラグ板部が耕盤の底面下方に突入することに抵抗し、ラグ板部が耕盤に深く食い込んで耕盤に損傷を与えることを防ぐことができると共に走行車体の持ち上がりを防ぐことができ、操向操作性を高めることができる。
【００１０】
又、請求項２記載の発明にあっては、上記一対の補助体の底面は略球面形状に形成されているので、水田用作業機の転回を円滑に容易に行うことができ、又、請求項３記載の発明にあっては、上記補助体の内部は空洞であるから、軽量化を図ることができる。
【００１１】
又、請求項４記載の発明にあっては、上記取付機構として、上記水田車輪のリム部の底面を包囲可能なＵ状ボルト体の両折返部に上記各補助体をそれぞれ固着し、Ｕ状ボルト体の両端ねじ部間に座板を挿通配置し、Ｕ状ボルト体の両端ねじ部に締付ナットを螺着してなるから、水田車輪のリム部の左右両側に確実に補助体を取り付けることができ、又、請求項５記載の発明にあっては、上記座板に上記水田車輪のリム部の上面に圧接可能な略Ｖ状の圧接面をもつ圧接部を設けてなるから、補助体を水田車輪のリム部に確実に取り付けることができる。
【発明を実施するための最良の形態】
【００１２】
図１乃至図５は本発明の実施の形態例を示し、１は水田用車輪補助具であって、傾斜状のラグ板部２ａ及びラグ凸部２ｂからなるラグ部２並びにスポーク部Ｓ2をもつ水田用作業機３、この場合乗用型田植機３ａの水田車輪Ｓのリム部Ｓ1の左右両側に配置され、底面が略球面形状４ａ・４ａに形成された一対の補助体４・４及び補助体４・４を水田車輪Ｓのリム部Ｓ1に路面に接地するラグ凸部２ｂの先端部から距離Ｋだけ離れた位置に取付可能な取付機構５からなる。
【００１３】
この場合、上記補助体４・４の内部は空洞４ｂ・４ｂに形成されている。
【００１４】
又、この場合、上記取付機構５として、上記水田車輪Ｓのリム部Ｓ1の底面を包囲可能な二個のＵ状ボルト体６の両折返部６ａ・６ａに上記各補助体４・４をそれぞれ溶接固着し、二個のＵ状ボルト体６の両端ねじ部６ｂ・６ｂ間に座板７の遊孔７ａ・７ａを挿通配置し、座板７に上記水田車輪Ｓのリム部Ｓ1の上面に圧接可能な略Ｖ状の圧接面８ａ・８ａをもつ圧接部８を設け、Ｕ状ボルト体６の両端ねじ部６ｂ・６ｂに締付ナット９・９を螺着してなる。
【００１５】
この実施の形態例は上記構成であるから、水田用作業機３、この場合、乗用型田植機３1の水田車輪Ｓのリム部Ｓ1に複数個の水田用車輪用補助具１をラグ部２・２の間に間隔をおいて取付機構により取付け、水田車輪Ｓのリム部Ｓ1の左右両側に底面が略球面形状４ａに形成された一対の補助体４・４を取付けることになり、この状態で、水田用作業機３を転回時等において後退させるとラグ部が水田の水面Ｍ下の耕盤Ｎに対してすくい角を有する状態で突入しようとするが一対の補助体４・４が耕盤Ｎの底面に当接し、ラグ部２ａが耕盤Ｎの底面下方に突入することに抵抗し、ラグ部２ａが耕盤Ｎに深く食い込んで耕盤Ｎに損傷を与えることを防ぐことができると共に走行車体の持ち上がりを防ぐことができ、操向操作性を高めることができる。
【００１６】
又、この場合、上記一対の補助体４・４の底面は略球面形状４ａ・４ａに形成されているので、水田用作業機３の転回を円滑に容易に行うことができ、又、この場合、上記補助体４・４の内部は空洞であるから、軽量化を図ることができる。
【００１７】
又、この場合、上記取付機構５として、上記水田車輪Ｓのリム部Ｓ1の底面を包囲可能なＵ状ボルト体６の両折返部６ａ・６ａに上記各補助体４・４をそれぞれ固着し、Ｕ状ボルト体６の両端ねじ部６ｂ・６ｂ間に座板７を挿通配置し、Ｕ状ボルト体６の両端ねじ部６ｂ・６ｂに締付ナット９・９を螺着してなるから、水田車輪Ｓのリム部Ｓ1の左右両側に確実に補助体４・４を取り付けることができ、又、この場合、上記座板７に上記水田車輪Ｓのリム部Ｓ1の上面に圧接可能な略Ｖ状の圧接面８ａをもつ圧接部８を設けてなるから、補助体４・４を水田車輪Ｓのリム部Ｓ1に確実に取り付けることができる。
【００１８】
尚、本発明は上記実施の形態例に限られるものではなく、補助体４の形状や、取付機構５の構造等は適宜設計して変更される。
【００１９】
以上、所期の目的を充分達成することができる。
【図面の簡単な説明】
【００２０】
【図１】本発明の実施の形態例の全体側面図である。
【図２】本発明の実施の形態例の部分拡大側面図である。
【図３】本発明の実施の形態例の部分拡大平面図である。
【図４】本発明の実施の形態例の部分拡大断面図である。
【図５】本発明の実施の形態例の部分拡大斜視図である。
【符号の説明】
【００２１】
Ｓ    水田車輪
Ｓ1    リム部
１    水田用車輪補助具
２    ラグ部
３    水田用作業機
３ａ    乗用型田植機
４    補助体
４ａ    略球面形状
４ｂ    空洞
５    取付機構
６    Ｕ状ボルト体
６ａ    両折返部
６ｂ    両端ねじ部
７    座板
８    圧接部
８ａ    圧接面
９    締付ナット
【図１】
2005306319.tif 000003
【図２】
2005306319.tif 000004
【図３】
2005306319.tif 000005
【図４】
2005306319.tif 000006
【図５】
2005306319.tif 000007